(57)【要約】      （修正有）【課題】空気袋の硬さを直感的に調節することができるマットレス装置を提供する。【解決手段】空気が充填され、且つ、ユーザの身体を支持するための空気袋と、空気袋内の空気の圧力値を制御する制御部と、制御部を遠隔操作するリモートコントローラ８と、を備える。リモートコントローラ８は、空気が充填され、且つ、ユーザが接触可能なように配置されたダミー空気袋６６と、ダミー空気袋６６内の空気の圧力値を調節する指示を受け付けるアップボタン７０及びダウンボタン７２と、を有する。制御部は、上記指示に基づいて調節されたダミー空気袋６６内の空気の圧力値に基づいて、空気袋内の空気の圧力値を制御する。【選択図】図５
2016029960.tif 000002
【特許請求の範囲】
【請求項１】
ユーザの身体を空気圧により支持するためのマットレス装置であって、
空気が充填され、且つ、前記ユーザの身体を支持するための空気袋と、
前記空気袋内の空気の圧力値を制御する制御部と、
前記制御部を遠隔操作するリモートコントローラと、を備え、
前記リモートコントローラは、
空気が充填され、且つ、前記ユーザが接触可能なように配置されたダミー空気袋と、
前記ダミー空気袋内の空気の圧力値を調節する指示を受け付ける受付部と、を有し、
前記制御部は、前記指示に基づいて調節された前記ダミー空気袋内の空気の圧力値に基づいて、前記空気袋内の空気の圧力値を制御する
マットレス装置。
【請求項２】
前記リモートコントローラは、さらに、
前記受付部により受け付けられた前記指示に基づいて、前記ダミー空気袋内に空気を供給する第１の供給部と、
前記受付部により受け付けられた前記指示に基づいて、前記ダミー空気袋内の空気を排出する第１の排出部と、
前記第１の供給部及び前記第１の排出部により調節された前記ダミー空気袋内の空気の圧力値を検出する第１の検出部と、
前記第１の検出部で検出された圧力値を前記制御部に出力する第１の出力部と、を有し、
前記制御部は、前記第１の出力部から出力された圧力値に基づいて、前記空気袋内の空気の圧力値を制御する
請求項１に記載のマットレス装置。
【請求項３】
前記マットレス装置は、さらに、
前記空気袋内の空気の圧力値を検出する第２の検出部と、
前記受付部が前記指示を受け付ける前に、前記第２の検出部で検出された圧力値を前記リモートコントローラに出力する第２の出力部と、を備える
請求項２に記載のマットレス装置。
【請求項４】
前記リモートコントローラは、さらに、
前記第２の出力部から圧力値が出力された際に、前記第１の供給部及び前記第１の排出部を制御することにより、当該圧力値に基づいて前記ダミー空気袋内の空気の圧力値を制御するコントローラ側制御部を有する
請求項３に記載のマットレス装置。
【請求項５】
前記リモートコントローラは、さらに、
前記第１の検出部で検出された圧力値に関する情報、及び、前記第２の出力部から出力された圧力値に関する情報をそれぞれ表示する表示部を有し、
前記第１の供給部は、前記ユーザの手動操作に基づいて前記ダミー空気袋内に空気を供給し、
前記第１の排出部は、前記ユーザの手動操作に基づいて前記ダミー空気袋内の空気を排出する
請求項３に記載のマットレス装置。
【請求項６】
前記マットレス装置は、さらに、
前記空気袋内に空気を供給する第２の供給部と、
前記空気袋内の空気を排出する第２の排出部と、を備え、
前記制御部は、前記第２の供給部及び前記第２の排出部を制御することにより、前記第１の出力部から出力された圧力値に基づいて前記空気袋内の空気の圧力値を制御する
請求項２〜５のいずれか１項に記載のマットレス装置。
【請求項７】
前記リモートコントローラは、さらに、
開口部を具備し、且つ、前記ダミー空気袋を覆う筐体を有しており、
前記ダミー空気袋の一部は、前記開口部から前記筐体の外部に露出されている
請求項１〜６のいずれか１項に記載のマットレス装置。
【請求項８】
空気袋内の空気の圧力値を制御するための制御部を遠隔操作するリモートコントローラであって、
空気が充填され、且つ、ユーザが接触可能なように配置されたダミー空気袋と、
前記ダミー空気袋内の空気の圧力値を調節する指示を受け付ける受付部と、
前記受付部により受け付けられた前記指示に基づいて、前記ダミー空気袋内に空気を供給する供給部と、
前記受付部により受け付けられた前記指示に基づいて、前記ダミー空気袋内の空気を排出する排出部と、
前記供給部及び前記排出部により調節された前記ダミー空気袋内の空気の圧力値を検出する検出部と、
前記検出部で検出された圧力値を前記制御部に出力する出力部と、を備える
リモートコントローラ。
【発明の詳細な説明】
【技術分野】
【０００１】
本発明は、マットレス装置及びリモートコントローラに関する。
【背景技術】
【０００２】
ユーザの身体を空気圧により支持するためのマットレス装置が知られている（例えば、特許文献１参照）。このマットレス装置は、空気が充填された空気袋と、空気袋内に空気を供給するポンプと、空気袋内の空気を外部に排出する排気弁と、を備えている。このようなマットレス装置では、ポンプ及び排気弁によって空気袋内の空気の圧力値を調節することにより、空気袋の硬さを調節することができる。
【０００３】
上述した空気袋の硬さの調節は、ユーザがリモートコントローラを操作することにより行うことができる。リモートコントローラには、アップボタン、ダウンボタン及び表示部が設けられている。アップボタンは、空気袋の硬さの設定レベルを上げるためのボタンである。ダウンボタンは、空気袋の硬さの設定レベルを下げるためのボタンである。表示部には、現在の空気袋の硬さの設定レベルを示す１０段階の数値（「１」〜「１０」）が表示される。
【０００４】
ユーザがアップボタンを１回押す毎に、表示部に表示された数値が１段階ずつ増大するとともに、ポンプが駆動することにより空気袋の硬さが１段階ずつ増大する。一方、ユーザがダウンボタンを１回押す毎に、表示部に表示された数値が１段階ずつ減少するとともに、排気弁が開くことにより空気袋の硬さが１段階ずつ減少する。
【先行技術文献】
【特許文献】
【０００５】
【特許文献１】特開平８−３３２１３４号公報
【発明の概要】
【発明が解決しようとする課題】
【０００６】
しかしながら、上述した従来のマットレス装置では、次のような課題が生じる。ユーザがリモートコントローラで空気袋の硬さを調節した際に、表示部に表示された数値を見ただけでは、空気袋の硬さがユーザの希望する硬さになったかどうかが直感的に分かり難いという課題が生じる。そのため、ユーザは、リモートコントローラで空気袋の硬さを調節した後に、実際に空気袋の上に寝てみるなどして空気袋の硬さを確認する必要がある。空気袋の硬さがユーザの希望する硬さになっていない場合には、ユーザはリモートコントローラで空気袋の硬さを再度調節しなければならず、大変煩わしいものであった。
【０００７】
本発明は、上述した課題を解決しようとするものであり、その目的は、空気袋の硬さを直感的に調節することができるマットレス装置及びリモートコントローラを提供することである。
【課題を解決するための手段】
【０００８】
上記目的を達成するために、本発明の一態様に係るマットレス装置は、ユーザの身体を空気圧により支持するためのマットレス装置であって、空気が充填され、且つ、前記ユーザの身体を支持するための空気袋と、前記空気袋内の空気の圧力値を制御する制御部と、前記制御部を遠隔操作するリモートコントローラと、を備え、前記リモートコントローラは、空気が充填され、且つ、前記ユーザが接触可能なように配置されたダミー空気袋と、前記ダミー空気袋内の空気の圧力値を調節する指示を受け付ける受付部と、を有し、前記制御部は、前記指示に基づいて調節された前記ダミー空気袋内の空気の圧力値に基づいて、前記空気袋内の空気の圧力値を制御する。
【０００９】
本態様によれば、リモートコントローラは、ユーザが接触可能なように配置されたダミー空気袋を有している。受付部が指示を受け付けることにより、ダミー空気袋内の空気の圧力値が調節され、ダミー空気袋の硬さがユーザの希望する硬さに調節される。このとき、ユーザは、例えばダミー空気袋を手指等で押すことにより、ダミー空気袋の硬さを直感的に確認することができる。制御部はダミー空気袋内の空気の圧力値に基づいて空気袋内の空気の圧力値を制御するので、ダミー空気袋の硬さに基づいて空気袋の硬さを調節することができる。したがって、ユーザは、手元のリモートコントローラのダミー空気袋に接触することにより、調節後の空気袋の硬さを予め擬似的に確認することができる。その結果、空気袋の硬さを直感的に調節することができる。
【００１０】
例えば、本発明の一態様に係るマットレス装置において、前記リモートコントローラは、さらに、前記受付部により受け付けられた前記指示に基づいて、前記ダミー空気袋内に空気を供給する第１の供給部と、前記受付部により受け付けられた前記指示に基づいて、前記ダミー空気袋内の空気を排出する第１の排出部と、前記第１の供給部及び前記第１の排出部により調節された前記ダミー空気袋内の空気の圧力値を検出する第１の検出部と、前記第１の検出部で検出された圧力値を前記制御部に出力する第１の出力部と、を有し、前記制御部は、前記第１の出力部から出力された圧力値に基づいて、前記空気袋内の空気の圧力値を制御するように構成してもよい。
【００１１】
本態様によれば、ユーザの希望する硬さに調節されたダミー空気袋内の空気の圧力値は、第１の検出部により検出された後に、第１の出力部により制御部に出力される。制御部は当該圧力値に基づいて空気袋内の空気の圧力値を制御するので、ダミー空気袋の硬さに基づいて空気袋の硬さを調節することができる。
【００１２】
例えば、本発明の一態様に係るマットレス装置において、前記マットレス装置は、さらに、前記空気袋内の空気の圧力値を検出する第２の検出部と、前記受付部が前記指示を受け付ける前に、前記第２の検出部で検出された圧力値を前記リモートコントローラに出力する第２の出力部と、を備えるように構成してもよい。
【００１３】
本態様によれば、第２の出力部は、受付部が指示を受け付ける前に、第２の検出部で検出された圧力値をリモートコントローラに出力する。これにより、リモートコントローラにおいて、例えば、ダミー空気袋内の空気の圧力値を第２の出力部から出力された圧力値（すなわち、空気袋内の空気の圧力値）に基づいて調節することができる。その結果、ユーザは、ダミー空気袋に接触することにより、現在の（調節前の）空気袋の硬さを擬似的に確認することができる。さらに、ユーザは、現在の空気袋の硬さを基準として、空気袋の硬さをさらに硬くしたいか柔らかくしたいかを判断することができる。
【００１４】
例えば、本発明の一態様に係るマットレス装置において、前記リモートコントローラは、さらに、前記第２の出力部から圧力値が出力された際に、前記第１の供給部及び前記第１の排出部を制御することにより、当該圧力値に基づいて前記ダミー空気袋内の空気の圧力値を制御するコントローラ側制御部を有するように構成してもよい。
【００１５】
本態様によれば、コントローラ側制御部は、第２の出力部から圧力値が出力された際に、第１の供給部及び第１の排出部を制御することにより、当該圧力値に基づいてダミー空気袋内の空気の圧力値を制御する。その結果、ダミー空気袋内の空気の圧力値を第２の出力部から出力された圧力値に基づいて自動で調節することができる。
【００１６】
例えば、本発明の一態様に係るマットレス装置において、前記リモートコントローラは、さらに、前記第１の検出部で検出された圧力値に関する情報、及び、前記第２の出力部から出力された圧力値に関する情報をそれぞれ表示する表示部を有し、前記第１の供給部は、前記ユーザの手動操作に基づいて前記ダミー空気袋内に空気を供給し、前記第１の排出部は、前記ユーザの手動操作に基づいて前記ダミー空気袋内の空気を排出するように構成してもよい。
【００１７】
本態様によれば、表示部は、第１の検出部で検出された圧力値に関する情報、及び、第２の出力部から出力された圧力値に関する情報をそれぞれ表示する。これにより、ユーザは、表示部に表示された情報を見ながら、第１の供給部及び第１の排出部をそれぞれ手動操作することができる。その結果、ダミー空気袋内の空気の圧力値を第２の出力部から出力された圧力値に基づいて手動で調節することができる。
【００１８】
例えば、本発明の一態様に係るマットレス装置において、前記マットレス装置は、さらに、前記空気袋内に空気を供給する第２の供給部と、前記空気袋内の空気を排出する第２の排出部と、を備え、前記制御部は、前記第２の供給部及び前記第２の排出部を制御することにより、前記第１の出力部から出力された圧力値に基づいて前記空気袋内の空気の圧力値を制御するように構成してもよい。
【００１９】
本態様によれば、制御部が第２の供給部を制御することにより、空気袋内に空気が供給される。さらに、制御部が第２の排出部を制御することにより、空気袋内の空気が外部に排出される。これにより、第１の出力部から出力された圧力値に基づいて、空気袋内の空気の圧力値を制御することができる。
【００２０】
例えば、本発明の一態様に係るマットレス装置において、前記リモートコントローラは、さらに、開口部を具備し、且つ、前記ダミー空気袋を覆う筐体を有しており、前記ダミー空気袋の一部は、前記開口部から前記筐体の外部に露出されているように構成してもよい。
【００２１】
本態様によれば、ダミー空気袋の一部は、筐体の開口部から筐体の外部に露出されているので、ユーザは、空気袋の硬さを調節する際にダミー空気袋に接触することができる。
【００２２】
本発明の一態様に係るリモートコントローラは、空気袋内の空気の圧力値を制御するための制御部を遠隔操作するリモートコントローラであって、空気が充填され、且つ、ユーザが接触可能なように配置されたダミー空気袋と、前記ダミー空気袋内の空気の圧力値を調節する指示を受け付ける受付部と、前記受付部により受け付けられた前記指示に基づいて、前記ダミー空気袋内に空気を供給する供給部と、前記受付部により受け付けられた前記指示に基づいて、前記ダミー空気袋内の空気を排出する排出部と、前記供給部及び前記排出部により調節された前記ダミー空気袋内の空気の圧力値を検出する検出部と、前記検出部で検出された圧力値を前記制御部に出力する出力部と、を備える。
【００２３】
本態様によれば、リモートコントローラは、ユーザが接触可能なように配置されたダミー空気袋を有している。受付部が指示を受け付けることにより、ダミー空気袋内の空気の圧力値が調節され、ダミー空気袋の硬さがユーザの希望する硬さに調節される。このとき、ユーザは、例えばダミー空気袋を手指等で押すことにより、ダミー空気袋の硬さを直感的に確認することができる。このようにユーザの希望する硬さに調節されたダミー空気袋内の空気の圧力値は、検出部により検出された後に、出力部により制御部に出力される。これにより、例えば、制御部は当該圧力値に基づいて空気袋内の空気の圧力値を制御することができるので、ダミー空気袋の硬さに基づいて空気袋の硬さを調節することができる。したがって、ユーザは、手元のリモートコントローラのダミー空気袋に接触することにより、調節後の空気袋の硬さを予め擬似的に確認することができる。その結果、空気袋の硬さを直感的に調節することができる。
【００２４】
なお、本発明は、このような特徴的な処理部を備えるマットレス装置として実現することができるだけでなく、マットレス装置に含まれる特徴的な処理部が実行する処理をステップとする制御方法として実現することができる。また、マットレス装置に含まれる特徴的な処理部としてコンピュータを機能させるためのプログラム又は制御方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読み取り可能な非一時的な記録媒体やインターネット等の通信ネットワークを介して流通させることができるのは、言うまでもない。
【発明の効果】
【００２５】
本発明の一態様に係るマットレス装置によれば、空気袋の硬さを直感的に調節することができる。
【図面の簡単な説明】
【００２６】
【図１】実施の形態１に係るマットレス装置が搭載されたベッドを示す分解斜視図である。
【図２】実施の形態１に係るメインコントローラの構成を示す概略図である。
【図３】実施の形態１に係るメインコントローラの機能的構成を示すブロック図である。
【図４Ａ】実施の形態１に係るリモートコントローラの外観を示す斜視図である。
【図４Ｂ】図４Ａ中のＡ−Ａ線によるリモートコントローラの概略断面図である。
【図５】実施の形態１に係るリモートコントローラの機能的構成を示すブロック図である。
【図６】実施の形態１に係るマットレス装置における空気袋の硬さの調節方法の流れを示すシーケンス図である。
【図７】実施の形態２に係るマットレス装置のリモートコントローラの外観を示す斜視図である。
【図８】実施の形態２に係るマットレス装置のリモートコントローラの機能的構成を示すブロック図である。
【図９】実施の形態２に係るマットレス装置における空気袋の硬さの調節方法の流れを示すシーケンス図である。
【図１０】実施の形態３に係るメインコントローラの機能的構成を示すブロック図である。
【図１１】実施の形態３に係るメインコントローラにおける空気袋の硬さの調節方法の流れを示すフローチャートである。
【発明を実施するための形態】
【００２７】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２８】
（実施の形態１）
［マットレス装置の全体構成］
まず、図１を参照しながら、実施の形態１に係るマットレス装置２の全体構成について説明する。図１は、実施の形態１に係るマットレス装置が搭載されたベッドを示す分解斜視図である。
【００２９】
図１に示すように、本実施の形態のマットレス装置２は、空気袋４、メインコントローラ６及びリモートコントローラ８を備えている。マットレス装置２は、例えば就寝用のベッド１０に搭載されている。
【００３０】
ベッド１０は、ベース１２と、ベース１２上に支持されたマットレス本体１４と、を有している。ベース１２は、例えば４枚の矩形状のプレートを枠状に組み合わせることにより構成されている。マットレス本体１４は、支持フレーム１６、空気袋４、マットレス１８及びカバー２０を有している。支持フレーム１６は、矩形状の枠状の発泡部材（例えばウレタン等）で構成されており、ベース１２上に支持されている。空気袋４は、その周縁部が支持フレーム１６によって支持されるようにして配置されている。マットレス１８及びカバー２０はそれぞれ、空気袋４の上面を覆うようにして配置されている。
【００３１】
空気袋４は、内部に充填された空気（圧縮空気）の圧力、すなわち空気圧によりユーザの身体を支持するためのものである。図１に示すように、空気袋４は、上面視で略矩形状のマット状に構成されており、複数の空気セル２２を有している。複数の空気セル２２の各々は、細長い袋状に構成されており、空気袋４の短手方向（Ｘ軸方向）に延びている。複数の空気セル２２は、空気袋４の長手方向（Ｙ軸方向）に並んで配置されている。なお、複数の空気セル２２の各々は、例えばナイロン繊維等の樹脂で形成されたシート部材を細長い袋状に縫製することにより構成されている。さらに、隣接して配置された一対の空気セル２２は、例えば縫製又は接着等により相互に固定されている。
【００３２】
複数の空気セル２２の各々の内部には、メインコントローラ６によって空気が充填される。複数の空気セル２２の各々の内部に空気が充填されることにより、空気袋４全体が膨張する。
【００３３】
メインコントローラ６は、リモートコントローラ８により遠隔操作される。ユーザがリモートコントローラ８を操作することにより、空気袋４の硬さ（すなわち、空気袋４内の空気の圧力値）を例えば１０段階で調節することができる。メインコントローラ６及びリモートコントローラ８の各々の構成については後述する。
【００３４】
［メインコントローラの構成］
次に、図１〜図３を参照しながら、上述したメインコントローラ６の構成について説明する。図２は、実施の形態１に係るメインコントローラの構成を示す概略図である。図３は、実施の形態１に係るメインコントローラの機能的構成を示すブロック図である。なお、図３において、太い実線は空気の流れを表し、細い実線は信号の流れを表している。
【００３５】
メインコントローラ６は、空気袋４内の空気の圧力値を制御するためのものである。図１に示すように、メインコントローラ６は、上述したベッド１０のベース１２の脇に配置されたコントロールボックス２４を有している。図２及び図３に示すように、コントロールボックス２４の内部には、チャンバ２６、ポンプ２８（第２の供給部）、開閉弁３０、排気弁３２（第２の排出部）、圧力センサ３４（第２の検出部）及び制御部３６が配置されている。
【００３６】
チャンバ２６の内部には、空気が流れる流路（図示せず）が形成されている。チャンバ２６の側面には、上述した流路と連通された第１〜第４の接続口３８，４０，４２，４４が設けられている。
【００３７】
ポンプ２８は、空気袋４内に空気を供給するための電動ポンプ（コンプレッサ）である。ポンプ２８は、供給管４６を介してチャンバ２６の第１の接続口３８に接続されている。
【００３８】
開閉弁３０は、チャンバ２６の第２の接続口４０に接続されている。開閉弁３０は、第２の接続口４０における空気の出入りを制御するための電磁弁である。開閉弁３０には、空気袋４から延びる接続チューブ４８の端部が接続されている。接続チューブ４８は、例えば可撓性を有する樹脂製のチューブであり、チャンバ２６内の流路と空気袋４内とを相互に連通する。
【００３９】
排気弁３２は、チャンバ２６の第３の接続口４２に接続されている。排気弁３２は、第３の接続口４２からの空気の排出を制御するための（換言すると、空気袋４内の空気を空気袋４の外部に排出するための）電磁弁である。
【００４０】
圧力センサ３４は、空気袋４内の空気の圧力を検出するためのセンサである。圧力センサ３４は、検出管５０を介してチャンバ２６の第４の接続口４４に接続されている。
【００４１】
制御部３６は、上述したポンプ２８、開閉弁３０及び排気弁３２をそれぞれ後述するようにして制御する。図３に示すように、制御部３６は、ＭＣＵ（Ｍｉｃｒｏ  Ｃｏｎｔｒｏｌｌｅｒ  Ｕｎｉｔ）５２、ポンプ駆動部５４、開閉弁駆動部５６及び排気弁駆動部５８を有している。
【００４２】
ＭＣＵ５２は、ポンプ駆動部５４、開閉弁駆動部５６及び排気弁駆動部５８をそれぞれ制御するためのマイクロプロセッサである。
【００４３】
ポンプ駆動部５４は、ポンプ２８を駆動させるための駆動回路である。ポンプ駆動部５４は、ＭＣＵ５２からの指示に基づいて、ポンプ２８に駆動信号を出力することによりポンプ２８を駆動させる。
【００４４】
開閉弁駆動部５６は、開閉弁３０を開閉させるための駆動回路である。開閉弁駆動部５６は、ＭＣＵ５２からの指示に基づいて、開閉弁３０に駆動信号を出力することにより開閉弁３０を開閉させる。
【００４５】
排気弁駆動部５８は、排気弁３２を開閉させるための駆動回路である。排気弁駆動部５８は、ＭＣＵ５２からの指示に基づいて、排気弁３２に駆動信号を出力することにより排気弁３２を開閉させる。
【００４６】
図３に示すように、メインコントローラ６のコントロールボックス２４の内部には、さらに、通信部６０（第２の出力部）が配置されている。通信部６０は、メインコントローラ６とリモートコントローラ８との間で赤外線通信するためのものである。通信部６０は、例えば、圧力センサ３４で検出された圧力値をリモートコントローラ８に送信（出力）する。
【００４７】
［リモートコントローラの構成］
次に、図４Ａ〜図５を参照しながら、上述したリモートコントローラ８の構成について説明する。図４Ａは、実施の形態１に係るリモートコントローラの外観を示す斜視図である。図４Ｂは、図４Ａ中のＡ−Ａ線によるリモートコントローラの概略断面図である。図５は、実施の形態１に係るリモートコントローラの機能的構成を示すブロック図である。なお、図５において、太い実線は空気の流れを表し、細い実線は信号の流れを表している。
【００４８】
リモートコントローラ８は、メインコントローラ６を遠隔操作するためのものである。図４Ａ及び図４Ｂに示すように、リモートコントローラ８は、筐体６２を有している。筐体６２の操作面６２ａには、略矩形状の開口部６４が設けられている。
【００４９】
図４Ａ及び図４Ｂに示すように、筐体６２の内部には、上面視略矩形状のダミー空気袋６６が配置されている。ダミー空気袋６６は、例えばナイロン繊維等の樹脂で形成されたシート部材を小袋状に縫製することにより構成されている。ダミー空気袋６６の一部は、開口部６４から筐体６２の外部に露出されている。これにより、ユーザは、外部に露出されたダミー空気袋６６に手指６７等で接触することができる。ダミー空気袋６６の内部には、ポンプ７８（後述する）により空気が充填される。ダミー空気袋６６の内部に空気が充填されることにより、ダミー空気袋６６全体が膨張する。
【００５０】
図４Ａに示すように、筐体６２の操作面６２ａには、さらに、電源ボタン６８、アップボタン７０（受付部）、ダウンボタン７２（受付部）、送信ボタン７４及び表示部７６が配置されている。電源ボタン６８は、メインコントローラ６の電源をオン又はオフするためのボタンである。アップボタン７０は、ダミー空気袋６６の硬さ（換言すると、ダミー空気袋６６内の空気の圧力値）の設定レベルを上げるためのボタンである。ダウンボタン７２は、ダミー空気袋６６の硬さの設定レベルを下げるためのボタンである。すなわち、アップボタン７０及びダウンボタン７２はそれぞれ、ダミー空気袋６６内の空気の圧力値を調節する指示を受け付ける。送信ボタン７４は、圧力センサ８４（後述する）により検出された圧力値をメインコントローラ６に送信するためのボタンである。表示部７６は、例えば液晶パネル等で構成されており、ダミー空気袋６６の硬さの設定レベルを示す１０段階の数値（「１」〜「１０」）を表示する。
【００５１】
アップボタン７０を１回押す毎に、表示部７６に表示された数値が１段階ずつ増大するとともに、ダミー空気袋６６の硬さが１段階ずつ増大する。一方、ダウンボタン７２を１回押す毎に、表示部７６に表示された数値が１段階ずつ減少するとともに、ダミー空気袋６６の硬さが１段階ずつ減少する。
【００５２】
図５に示すように、筐体６２の内部には、さらに、ポンプ７８（供給部、第１の供給部）、開閉弁８０、排気弁８２（排出部、第１の排出部）、圧力センサ８４（検出部、第１の検出部）、コントローラ側制御部８６及び通信部８８（出力部、第１の出力部）が配置されている。
【００５３】
ポンプ７８は、ダミー空気袋６６内に空気を供給するための電動ポンプ（コンプレッサ）である。開閉弁８０は、ポンプ７８からダミー空気袋６６内への空気の供給を制御するための電磁弁である。排気弁８２は、ダミー空気袋６６内の空気をダミー空気袋６６の外部に排出するための電磁弁である。圧力センサ８４は、ダミー空気袋６６内の空気の圧力値を検出するためのセンサである。
【００５４】
コントローラ側制御部８６は、上述したポンプ７８、開閉弁８０及び排気弁８２をそれぞれ後述するようにして制御する。コントローラ側制御部８６は、ＭＣＵ９０及び駆動部９２を有している。ＭＣＵ９０は、駆動部９２を制御するためのマイクロプロセッサである。駆動部９２は、ポンプ７８を駆動させるとともに、開閉弁８０及び排気弁８２をそれぞれ開閉させるための駆動回路である。駆動部９２は、ＭＣＵ９０からの指示に基づいて、ポンプ７８に駆動信号を出力することによりポンプ７８を駆動させる。さらに、駆動部９２は、ＭＣＵ９０からの指示に基づいて、開閉弁８０及び排気弁８２にそれぞれ駆動信号を出力することにより開閉弁８０及び排気弁８２をそれぞれ開閉させる。
【００５５】
通信部８８は、リモートコントローラ８とメインコントローラ６との間で赤外線通信するためのものである。通信部８８は、例えば、圧力センサ８４で検出された圧力値をメインコントローラ６に送信（出力）する。
【００５６】
［空気袋の硬さの調節方法］
次に、図６を参照しながら、上述した空気袋４の硬さの調節方法について説明する。図６は、実施の形態１に係るマットレス装置における空気袋の硬さの調節方法の流れを示すシーケンス図である。
【００５７】
図６に示すように、ユーザは、空気袋４の硬さを調節したい場合には、まず、リモートコントローラ８の電源ボタン６８を押す（Ｓ１１）。これにより、リモートコントローラ８の通信部８８がメインコントローラ６の通信部６０に起動信号を送信し、メインコントローラ６の電源がオンする（Ｓ１２）。
【００５８】
なお、リモートコントローラ８の電源ボタン６８が押された直後は、開閉弁８０及び排気弁８２はそれぞれ閉じた状態に保持され、且つ、ポンプ７８の駆動は停止している。さらに、メインコントローラ６が起動した直後は、開閉弁３０及び排気弁３２はそれぞれ閉じた状態に保持され、且つ、ポンプ２８の駆動は停止している。
【００５９】
メインコントローラ６の起動後、メインコントローラ６のＭＣＵ５２は、開閉弁駆動部５６を制御することにより開閉弁３０を開く。これにより、メインコントローラ６の圧力センサ３４は、検出管５０、チャンバ２６内の流路、開閉弁３０及び接続チューブ４８を介して、空気袋４内の空気の圧力値を検出する（Ｓ１３）。メインコントローラ６の通信部６０は、ＭＣＵ５２からの指示に基づいて、ユーザがリモートコントローラ８のアップボタン７０及びダウンボタン７２を押す前に、圧力センサ３４で検出された圧力値をリモートコントローラ８の通信部８８に送信する（Ｓ１４）。なお、圧力センサ３４による圧力値の検出が完了した際には、ＭＣＵ５２は、開閉弁駆動部５６を制御することにより開閉弁３０を閉じる。
【００６０】
その後、リモートコントローラ８の圧力センサ８４は、ダミー空気袋６６内の空気の圧力を検出する（Ｓ１５）。リモートコントローラ８のＭＣＵ９０は、通信部８８で受信された圧力値及び圧力センサ８４で検出された圧力値に基づいて、駆動部９２を制御する。
【００６１】
ステップＳ１５において、ダミー空気袋６６内の空気の圧力値が空気袋４内の空気の圧力値よりも低い（すなわち、圧力センサ８４で検出された圧力値が通信部８８で受信された圧力値よりも低い）場合には、ＭＣＵ９０は、駆動部９２を制御することにより、開閉弁８０を開くとともにポンプ７８を駆動させる（Ｓ１６）。なお、このとき、排気弁８２は閉じた状態に保持されている。これにより、ポンプ７８からの空気がダミー空気袋６６内に供給され、ダミー空気袋６６内の空気の圧力値が上昇する。ＭＣＵ９０は、ダミー空気袋６６内の空気の圧力値が空気袋４内の空気の圧力値に到達するまで、ポンプ７８を駆動させる。このようにして、ダミー空気袋６６の硬さが空気袋４の硬さに自動調節される（Ｓ１７）。ＭＣＵ９０は、ダミー空気袋６６内の空気の圧力値が空気袋４内の空気の圧力値に到達した際に、駆動部９２を制御することにより、開閉弁８０を閉じるとともにポンプ７８の駆動を停止させる（Ｓ１８）。なお、このとき、リモートコントローラ８のＭＣＵ９０は、ダミー空気袋６６内の空気の圧力値に対応する硬さの設定レベルを示す数値（例えば「８」）を表示部７６に表示させる。
【００６２】
一方、ステップＳ１５において、ダミー空気袋６６内の空気の圧力値が空気袋４内の空気の圧力値よりも高い場合には、ＭＣＵ９０は、駆動部９２を制御することにより、ポンプ７８の駆動を停止させた状態で排気弁８２を開く（Ｓ１６）。なお、このとき、開閉弁８０は閉じた状態に保持されている。これにより、ダミー空気袋６６内の空気が排気弁８２から排出され、ダミー空気袋６６内の空気の圧力値が低下する。ＭＣＵ９０は、ダミー空気袋６６内の空気の圧力値が空気袋４内の空気の圧力値に到達するまで、排気弁８２を開いた状態に保持する。このようにして、上述した場合と同様に、ダミー空気袋６６の硬さが空気袋４の硬さに自動調節される（Ｓ１７）。ＭＣＵ９０は、ダミー空気袋６６内の空気の圧力値が空気袋４内の空気の圧力値に到達した際に、駆動部９２を制御することにより、排気弁８２を閉じる（Ｓ１８）。
【００６３】
なお、ステップＳ１５において、ダミー空気袋６６内の空気の圧力値と空気袋４内の空気の圧力値とが同じ圧力値である場合には、ＭＣＵ９０は、駆動部９２を制御しない。
【００６４】
その後、ユーザは、ダミー空気袋６６を手指６７等で押すことにより、現在の空気袋４の硬さを擬似的に確認することができる。これにより、ユーザは、現在の空気袋４の硬さを基準として、空気袋４の硬さをさらに硬くしたいか柔らかくしたいを判断することができる。
【００６５】
ユーザは、空気袋４の硬さをさらに硬くしたい場合には、リモートコントローラ８のアップボタン７０を押す（Ｓ１９）。これにより、リモートコントローラ８のＭＣＵ９０は、駆動部９２を制御することにより、開閉弁８０を開くとともにポンプ７８を駆動させる（Ｓ２０）。これにより、ポンプ７８からの空気がダミー空気袋６６内に供給され、ダミー空気袋６６内の空気の圧力値が上昇する。ＭＣＵ９０は、ダミー空気袋６６内の空気の圧力値が１段階上の硬さの設定レベルに対応する圧力値に到達するまで、ポンプ７８を駆動させる。これにより、ダミー空気袋６６の硬さは、ユーザが設定した１段階上の設定レベルに対応する硬さに調節される（Ｓ２１）。ＭＣＵ９０は、ダミー空気袋６６内の空気の圧力値が１段階上の硬さの設定レベルに対応する圧力値に到達した際に、駆動部９２を制御することによりポンプ７８の駆動を停止させる（Ｓ２２）。このとき、ＭＣＵ９０は、ダミー空気袋６６の硬さの設定レベルを示す数値（例えば「９」）を表示部７６に表示させる。ユーザは、ダミー空気袋６６を手指６７等で押すことにより、ダミー空気袋６６の硬さがユーザの希望する硬さになったかを確認する。ダミー空気袋６６の硬さがユーザの希望する硬さになっていない場合には、ユーザは、リモートコントローラ８のアップボタン７０を再度押すことにより、ダミー空気袋６６内の空気の圧力値をさらに上昇させる。
【００６６】
一方、ステップＳ１８において、ユーザは、空気袋４の硬さを柔らかくしたい場合には、リモートコントローラ８のダウンボタン７２を押す（Ｓ１９）。これにより、リモートコントローラ８のＭＣＵ９０は、駆動部９２を制御することにより、ポンプ７８の駆動を停止させた状態で排気弁８２を開く（Ｓ２０）。これにより、ダミー空気袋６６内の空気が排気弁８２から排出され、ダミー空気袋６６内の空気の圧力値が低下する。ＭＣＵ９０は、ダミー空気袋６６内の空気の圧力値が１段階下の硬さの設定レベルに対応する圧力値に到達するまで、排気弁８２を開いた状態に保持する。これにより、ダミー空気袋６６の硬さは、ユーザが設定した１段階下の設定レベルに対応する硬さに調節される（Ｓ２１）。ＭＣＵ９０は、ダミー空気袋６６内の空気の圧力値が１段階上の硬さの設定レベルに対応する圧力値に到達した際に、駆動部９２を制御することにより排気弁８２を閉じる（Ｓ２２）。このとき、ＭＣＵ９０は、ダミー空気袋６６の硬さの設定レベルを示す数値（例えば「７」）を表示部７６に表示させる。上述と同様に、ダミー空気袋６６の硬さがユーザの希望する硬さになっていない場合には、ユーザは、リモートコントローラ８のダウンボタン７２を再度押すことにより、ダミー空気袋６６内の空気の圧力値をさらに低下させる。
【００６７】
ダミー空気袋６６の硬さがユーザの希望する硬さに調節された場合には、ユーザは、リモートコントローラ８の送信ボタン７４を押す（Ｓ２３）。これにより、リモートコントローラ８の圧力センサ８４は、ダミー空気袋６６内の空気の圧力値を検出する（Ｓ２４）。リモートコントローラ８の通信部８８は、ＭＣＵ９０からの指示に基づいて、圧力センサ８４で検出された圧力値をメインコントローラ６の通信部６０に送信する（Ｓ２５）。
【００６８】
その後、メインコントローラ６のＭＣＵ５２は、通信部６０で受信された圧力値に基づいてポンプ駆動部５４、開閉弁駆動部５６及び排気弁駆動部５８をそれぞれ制御する。上述したようにユーザがダミー空気袋６６の硬さの設定レベルを上げた場合には、ＭＣＵ５２は、開閉弁駆動部５６及びポンプ駆動部５４をそれぞれ制御することにより、開閉弁３０を開くとともにポンプ２８を駆動させる（Ｓ２６）。これにより、ポンプ２８からの空気が供給管４６、チャンバ２６内の流路、開閉弁３０及び接続チューブ４８を介して空気袋４内に供給され、空気袋４内の空気の圧力値が上昇する。ＭＣＵ５２は、空気袋４内の空気の圧力値がユーザの設定した硬さの設定レベルに対応する圧力値に到達するまで、ポンプ２８を駆動させる。これにより、空気袋４の硬さは、ユーザが設定した設定レベルに対応する硬さ（すなわち、ダミー空気袋６６の硬さ）に調節される（Ｓ２７）。ＭＣＵ５２は、空気袋４内の空気の圧力値がユーザの設定した硬さの設定レベルに対応する圧力値に到達した際に、開閉弁３０を閉じるとともにポンプ２８の駆動を停止させる（Ｓ２８）。
【００６９】
一方、ステップＳ２６において、上述したようにユーザがダミー空気袋６６の硬さの設定レベルを下げた場合には、ＭＣＵ５２は、開閉弁駆動部５６及び排気弁駆動部５８をそれぞれ制御することにより、ポンプ２８の駆動を停止させた状態で開閉弁３０及び排気弁３２をそれぞれ開く（Ｓ２６）。これにより、空気袋４内の空気が接続チューブ４８、開閉弁３０、チャンバ２６内の流路及び排気弁３２を介して排出され、空気袋４内の空気の圧力値が低下する。ＭＣＵ５２は、空気袋４内の空気の圧力値がユーザの設定した硬さの設定レベルに対応する圧力値に到達するまで、開閉弁３０及び排気弁３２をそれぞれ開いた状態に保持する。これにより、空気袋４の硬さは、ユーザが設定した設定レベルに対応する硬さに調節される（Ｓ２７）。ＭＣＵ５２は、空気袋４内の空気の圧力値がユーザの設定した硬さの設定レベルに対応する圧力値に到達した際に、開閉弁３０及び排気弁３２をそれぞれ閉じる（Ｓ２８）。
【００７０】
以上のようにして、ユーザは、リモートコントローラ８を用いて空気袋４の硬さを調節することができる。
【００７１】
［効果］
次に、本実施の形態のマットレス装置２により得られる効果について説明する。上述したように、リモートコントローラ８は、ユーザが接触可能なように配置されたダミー空気袋６６を有している。ユーザは、リモートコントローラ８のアップボタン７０又はダウンボタン７２を操作することにより、ダミー空気袋６６の硬さをユーザの希望する硬さに調節する。このとき、ユーザは、ダミー空気袋６６を手指６７等で押すことにより、ダミー空気袋６６の硬さを直感的に確認することができる。このようにユーザの希望する硬さに調節されたダミー空気袋６６内の空気の圧力値は、圧力センサ８４により検出された後に、通信部８８によりメインコントローラ６に送信される。メインコントローラ６の制御部３６は、当該圧力値に基づいて空気袋４内の空気の圧力値を制御するので、空気袋４の硬さをダミー空気袋６６の硬さに調節することができる。
【００７２】
したがって、ユーザは、手元のリモートコントローラ８のダミー空気袋６６を手指６７等で押すことにより、調節後の空気袋４の硬さを擬似的に確認することができる。その結果、空気袋４の硬さを直感的に調節することができる。
【００７３】
（実施の形態２）
次に、図７〜図９を参照しながら、実施の形態２に係るマットレス装置の構成について説明する。図７は、実施の形態２に係るマットレス装置のリモートコントローラの外観を示す斜視図である。図８は、実施の形態２に係るマットレス装置のリモートコントローラの機能的構成を示すブロック図である。図９は、実施の形態２に係るマットレス装置における空気袋の硬さの調節方法の流れを示すシーケンス図である。なお、以下に示す各実施の形態において、上記実施の形態１と同一の構成要素には同一の符号を付して、その説明を省略する。
【００７４】
［リモートコントローラの構成］
まず、図７及び図８を参照しながら、実施の形態２に係るリモートコントローラ８Ａの構成について説明する。
【００７５】
図７に示すように、本実施の形態のリモートコントローラ８Ａの筐体６２の操作面６２ａには、上記実施の形態１で説明したアップボタン７０及びダウンボタン７２に代えて、ポンプ駆動ボタン９４（受付部）及び排気弁開ボタン９６（受付部）が配置されている。
【００７６】
図８に示すように、ポンプ７８Ａは手動ポンプであり、ポンプ駆動ボタン９４を１回押す毎に、ポンプ７８Ａから一定量の空気がダミー空気袋６６に供給される。さらに、排気弁８２Ａは手動弁であり、排気弁開ボタン９６を押している間のみ、排気弁８２Ａが開くようになっている。
【００７７】
なお、コントローラ側制御部８６Ａは、上記実施の形態１で説明した駆動部９２を有していない。
【００７８】
［空気袋の硬さの調節方法］
次に、図９を参照しながら、実施の形態２に係るマットレス装置における空気袋４（図１参照）の硬さの調節方法について説明する。
【００７９】
図９に示すように、まず、上記実施の形態１で説明した図６のステップＳ１１〜Ｓ１５と同様に、ステップＳ３１〜Ｓ３５が実行される。
【００８０】
その後、リモートコントローラ８ＡのＭＣＵ９０Ａは、通信部８８で受信された圧力値に対応する硬さの目標設定レベルを示す数値（第１の数値、例えば「８」）（すなわち、通信部６０から送信された圧力値に関する情報）を表示するとともに、ダミー空気袋６６の硬さの設定レベルを示す数値（第２の数値、例えば「６」）（すなわち、圧力センサ８４で検出された圧力値に関する情報）を表示部７６に表示させる（Ｓ３６）。ユーザは、表示部７６に表示されたこれらの数値を見ることにより、ダミー空気袋６６の硬さが空気袋４の硬さからどの程度ずれているかを知ることができる。
【００８１】
ダミー空気袋６６の硬さが空気袋４の硬さよりも柔らかい場合には、ユーザは、リモートコントローラ８Ａのポンプ駆動ボタン９４を１回又は複数回押すことにより（Ｓ３７）、ポンプ７８Ａを手動で駆動させる。なお、このとき、排気弁８２Ａは閉じた状態に保持されている。これにより、ポンプ７８Ａからの空気がダミー空気袋６６内に供給され、ダミー空気袋６６内の空気の圧力値が上昇する。ユーザは、表示部７６に表示された第２の数値が第１の数値に到達するまで、ポンプ７８Ａを手動で駆動させる。このようにして、ダミー空気袋６６の硬さが空気袋４の硬さに調節される（Ｓ３８）。
【００８２】
一方、ダミー空気袋６６の硬さが空気袋４の硬さよりも硬い場合には、ユーザは、リモートコントローラ８Ａの排気弁開ボタン９６を所定時間（例えば数秒〜数十秒程度）押し続けることにより（Ｓ３７）、排気弁８２Ａを手動で開いた状態に保持させる。これにより、ダミー空気袋６６内の空気が排気弁８２Ａから排出され、ダミー空気袋６６内の空気の圧力値が低下する。ユーザは、表示部７６に表示された第２の数値が第１の数値に到達するまで、排気弁８２Ａを開いた状態に保持させる。このようにして、上述した場合と同様に、ダミー空気袋６６の硬さが空気袋４の硬さに調節される（Ｓ３８）。
【００８３】
その後、ユーザは、ダミー空気袋６６を手指６７（図４Ｂ参照）等で押すことにより、現在の空気袋４の硬さを擬似的に確認することができる。ユーザは、空気袋４の硬さをさらに硬くしたい場合には、リモートコントローラ８Ａのポンプ駆動ボタン９４を１回又は複数回押す（Ｓ３９）。これにより、ポンプ７８Ａからの空気がダミー空気袋６６内に供給され、ダミー空気袋６６内の空気の圧力値が上昇する。ユーザは、ダミー空気袋６６を手指６７等で押すことにより、ダミー空気袋６６の硬さがユーザの希望する硬さになったかを確認する。ダミー空気袋６６の硬さがユーザの希望する硬さになっていない場合には、ユーザは、リモートコントローラ８Ａのポンプ駆動ボタン９４を再度押すことにより、ダミー空気袋６６内の空気の圧力値をさらに上昇させる。これにより、ダミー空気袋６６の硬さは、ユーザが設定した設定レベルに対応する硬さに調節される（Ｓ４０）。このとき、ＭＣＵ９０Ａは、ダミー空気袋６６内の空気の圧力値に対応する設定レベルを示す数値（例えば「９」）を表示部７６に表示させる。
【００８４】
一方、ステップＳ３９において、ユーザは、空気袋４の硬さを柔らかくしたい場合には、リモートコントローラ８Ａの排気弁開ボタン９６を所定時間（例えば数秒〜数十秒程度）押し続ける（Ｓ３９）。これにより、ダミー空気袋６６内の空気が排気弁８２Ａから排出され、ダミー空気袋６６内の空気の圧力値が低下する。ユーザは、ダミー空気袋６６を手指６７等で押すことにより、ダミー空気袋６６の硬さがユーザの希望する硬さになったかを確認する。ダミー空気袋６６の硬さがユーザの希望する硬さになっていない場合には、ユーザは、リモートコントローラ８Ａの排気弁開ボタン９６を再度所定時間押し続けることにより、ダミー空気袋６６内の空気の圧力値をさらに低下させる。これにより、ダミー空気袋６６の硬さは、ユーザが設定した設定レベルに対応する硬さに調節される（Ｓ４０）。このとき、ＭＣＵ９０Ａは、ダミー空気袋６６内の空気の圧力値に対応する設定レベルを示す数値（例えば「６」）を表示部７６に表示させる。
【００８５】
ダミー空気袋６６の硬さがユーザの希望する硬さに調節された場合には、ユーザは、リモートコントローラ８Ａの送信ボタン７４を押す（Ｓ４１）。その後、上記実施の形態１で説明した図６のステップＳ２４〜Ｓ２８と同様に、ステップＳ４２〜Ｓ４６が実行される。
【００８６】
［効果］
上述したようにポンプ７８Ａ及び排気弁８２Ａをそれぞれ手動ポンプ及び手動弁で構成した場合であっても、上記実施の形態１と同様の効果を得ることができる。
【００８７】
（実施の形態３）
次に、図１０及び図１１を参照しながら、実施の形態３に係るマットレス装置の構成について説明する。図１０は、実施の形態３に係るメインコントローラの機能的構成を示すブロック図である。図１１は、実施の形態３に係るメインコントローラにおける空気袋の硬さの調節方法の流れを示すフローチャートである。
【００８８】
［空気袋の構成］
まず、図１０を参照しながら、実施の形態２に係る空気袋４Ｂの構成について説明する。図１０に示すように、本実施の形態の空気袋４Ｂは、第１の空気袋４Ｂａ及び第２の空気袋４Ｂｂに分割されている。第１の空気袋４Ｂａ及び第２の空気袋４Ｂｂは、例えば空気袋４Ｂの長手方向（図１におけるＹ軸方向）に並んで配置されている。第１の空気袋４Ｂａは、ユーザの上半身を支持するためのものであり、第２の空気袋４Ｂｂは、ユーザの下半身を支持するためのものである。本実施の形態では、後述するように、第１の空気袋４Ｂａ及び第２の空気袋４Ｂｂの各々の硬さを独立して調節することができる。
【００８９】
［メインコントローラの構成］
次に、図１０を参照しながら、実施の形態２に係るメインコントローラ６Ｂの構成について説明する。本実施の形態のメインコントローラ６Ｂは、第１の開閉弁３０Ｂａ及び第２の開閉弁３０Ｂｂを有している。第１の開閉弁３０Ｂａには、第１の空気袋４Ｂａから延びる第１の接続チューブ（図示せず）の端部が接続されている。第２の開閉弁３０Ｂｂには、第２の空気袋４Ｂｂから延びる第２の接続チューブ（図示せず）の端部が接続されている。開閉弁駆動部５６Ｂは、制御部３６ＢのＭＣＵ５２Ｂからの指示に基づいて、第１の開閉弁３０Ｂａ及び第２の開閉弁３０Ｂｂにそれぞれ駆動信号を出力することにより、第１の開閉弁３０Ｂａ及び第２の開閉弁３０Ｂｂをそれぞれ開閉させる。
【００９０】
［メインコントローラにおける空気袋の硬さの調節方法の流れ］
次に、図１１を参照しながら、メインコントローラ６Ｂにおける空気袋４Ｂの硬さの調節方法の流れについて説明する。
【００９１】
まず、ユーザがリモートコントローラ８（図４Ａ参照）の電源ボタン６８を押すことにより、メインコントローラ６Ｂの電源がオンする（Ｓ５１）。なお、メインコントローラ６Ｂが起動された直後は、第１の開閉弁３０Ｂａ、第２の開閉弁３０Ｂｂ及び排気弁３２はそれぞれ閉じた状態に保持され、且つ、ポンプ２８の駆動は停止している。
【００９２】
メインコントローラ６Ｂの起動後、メインコントローラ６ＢのＭＣＵ５２Ｂは、開閉弁駆動部５６Ｂを制御することにより第１の開閉弁３０Ｂａを開く（Ｓ５２）。これにより、メインコントローラ６Ｂの圧力センサ３４は、検出管５０（図２参照）、チャンバ２６（図２参照）内の流路、第１の開閉弁３０Ｂａ及び第１の接続チューブを介して、第１の空気袋４Ｂａ内の空気の圧力値を検出する（Ｓ５３）。メインコントローラ６Ｂの通信部６０は、ＭＣＵ５２Ｂからの指示に基づいて、圧力センサ３４で検出された圧力値を個体識別情報（すなわち、第１の空気袋４Ｂａを識別するための情報）とともにリモートコントローラ８の通信部８８（図５参照）に送信する（Ｓ５４）。
【００９３】
これにより、リモートコントローラ８では、上記実施の形態１で説明したのと同様にして、ダミー空気袋６６の硬さがユーザの設定した設定レベルに対応する硬さに調節される。メインコントローラ６Ｂの通信部６０がリモートコントローラ８からの圧力値を受信した際には（Ｓ５５でＹＥＳ）、メインコントローラ６ＢのＭＣＵ５２Ｂは、上記実施の形態１で説明したのと同様にして、第１の空気袋４Ｂａの硬さをユーザの設定した設定レベルに対応する硬さに調節する（Ｓ５６）。
【００９４】
その後、メインコントローラ６ＢのＭＣＵ５２Ｂは、開閉弁駆動部５６Ｂを制御することにより、第１の開閉弁３０Ｂａを閉じるとともに第２の開閉弁３０Ｂｂを開く（Ｓ５７）。これにより、メインコントローラ６Ｂの圧力センサ３４は、検出管５０、チャンバ２６内の流路、第２の開閉弁３０Ｂｂ及び第２の接続チューブを介して、第２の空気袋４Ｂｂ内の空気の圧力値を検出する（Ｓ５８）。メインコントローラ６Ｂの通信部６０は、ＭＣＵ５２Ｂからの指示に基づいて、圧力センサ３４で検出された圧力値を個体識別情報（すなわち、第２の空気袋４Ｂｂを識別するための情報）とともにリモートコントローラ８の通信部８８に送信する（Ｓ５９）。
【００９５】
これにより、リモートコントローラ８では、上記実施の形態１で説明したのと同様にして、ダミー空気袋６６の硬さがユーザの設定した設定レベルに対応する硬さに調節される。メインコントローラ６Ｂの通信部６０がリモートコントローラ８からの圧力値を受信した際には（Ｓ６０でＹＥＳ）、メインコントローラ６ＢのＭＣＵ５２Ｂは、上記実施の形態１で説明したのと同様にして、第２の空気袋４Ｂｂの硬さをユーザの設定した設定レベルに対応する硬さに調節する（Ｓ６１）。その後、ＭＣＵ５２Ｂは、開閉弁駆動部５６Ｂを制御することにより、第２の開閉弁３０Ｂｂを閉じる（Ｓ６２）。
【００９６】
［効果］
上述したように、本実施の形態のマットレス装置では、１個のリモートコントローラ８で複数の空気袋（例えば、第１の空気袋４Ｂａ及び第２の空気袋４Ｂｂ）の各々の硬さを独立して調節することができる。
【００９７】
（変形例）
以上、本発明の実施の形態１〜３に係るマットレス装置及びリモートコントローラについて説明したが、本発明は、これらの実施の形態に限定されるものではない。例えば、上記各実施の形態をそれぞれ組み合わせてもよい。
【００９８】
上記各実施の形態では、ダミー空気袋６６をリモートコントローラ８（８Ａ）の筐体６２の内部に配置したが、これに限定されず、例えばダミー空気袋６６全体が筐体６２の外部に露出されるように、ダミー空気袋６６を筐体６２の側面等に配置してもよい。
【００９９】
上記各実施の形態では、空気袋４（４Ｂ）の硬さを１０段階で調節するように構成したが、これに限定されず、任意の段階（例えば２０段階）又は無段階で調節するように構成してもよい。
【０１００】
上記実施の形態３では、空気袋４Ｂを２個の空気袋（第１の空気袋４Ｂａ及び第２の空気袋４Ｂｂ）に分割したが、これに限定されず、３個以上の空気袋に分割してもよい。
【０１０１】
上記各実施の形態では、リモートコントローラ８（８Ａ）のポンプ７８（７８Ａ）によりダミー空気袋６６内に空気を供給し、リモートコントローラ８（８Ａ）の排気弁８２（８２Ａ）によりダミー空気袋６６内の空気を排出したが、これに限定されない。例えば、リモートコントローラの内部に配置されたシリンダ及びピストンにより、ダミー空気袋６６内に空気を供給することができるとともに、ダミー空気袋６６内の空気を排出することができる。シリンダの内部は、ダミー空気袋６６の内部と連通されている。ピストンをシリンダの内部で第１の方向に移動させることにより、シリンダ内の空気がダミー空気袋６６内に供給される。一方、ピストンをシリンダの内部で第２の方向（第１の方向と反対方向）に移動させることにより、ダミー空気袋６６内の空気がシリンダ内に吸い込まれる。このような構成の場合には、シリンダ及びピストンが第１の供給部及び第１の排出部を構成するようになる。
【０１０２】
（その他の変形例）
また、上記の各装置は、具体的には、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブ、ディスプレイユニット、キーボード及びマウス等から構成されるコンピュータシステムとして構成されてもよい。ＲＡＭ又はハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１０３】
さらに、上記の各装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ及びＲＡＭ等を含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１０４】
さらにまた、上記の各装置を構成する構成要素の一部又は全部は、各装置に脱着可能なＩＣカード又は単体のモジュールから構成されているとしてもよい。ＩＣカード又はモジュールは、マイクロプロセッサ、ＲＯＭ及びＲＡＭ等から構成されるコンピュータシステムである。ＩＣカード又はモジュールは、上記の超多機能ＬＳＩを含むとしてもよい。マイクロプロセッサが、コンピュータプログラムに従って動作することにより、ＩＣカード又はモジュールは、その機能を達成する。このＩＣカード又はこのモジュールは、耐タンパ性を有するとしてもよい。
【０１０５】
また、本発明は、上記に示す方法であるとしてもよい。また、本発明は、これらの方法をコンピュータにより実現するコンピュータプログラムであるとしてもよいし、上記コンピュータプログラムからなるデジタル信号であるとしてもよい。
【０１０６】
さらに、本発明は、上記コンピュータプログラム又は上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリ等に記録したものとしてもよい。また、これらの非一時的な記録媒体に記録されている上記デジタル信号であるとしてもよい。
【０１０７】
また、本発明は、上記コンピュータプログラム又は上記デジタル信号を、電気通信回線、無線又は有線通信回線、インターネットを代表とするネットワーク、データ放送等を経由して伝送するものとしてもよい。
【０１０８】
また、本発明は、マイクロプロセッサ及びメモリを備えたコンピュータシステムであって、上記メモリは、上記コンピュータプログラムを記憶しており、上記マイクロプロセッサは、上記コンピュータプログラムに従って動作するとしてもよい。
【０１０９】
また、上記プログラム又は上記デジタル信号を上記非一時的な記録媒体に記録して移送することにより、又は、上記プログラム又は上記デジタル信号を上記ネットワーク等を経由して移送することにより、独立した他のコンピュータシステムにより実施するとしてもよい。
【産業上の利用可能性】
【０１１０】
本発明のマットレス装置は、例えば就寝用のベッド等に搭載することができる。
【符号の説明】
【０１１１】
２  マットレス装置
４，４Ｂ  空気袋
４Ｂａ  第１の空気袋
４Ｂｂ  第２の空気袋
６，６Ｂ  メインコントローラ
８，８Ａ  リモートコントローラ
１０  ベッド
１２  ベース
１４  マットレス本体
１６  支持フレーム
１８  マットレス
２０  カバー
２２  空気セル
２４  コントロールボックス
２６  チャンバ
２８，７８，７８Ａ  ポンプ
３０，８０  開閉弁
３０Ｂａ  第１の開閉弁
３０Ｂｂ  第２の開閉弁
３２，８２，８２Ａ  排気弁
３４，８４  圧力センサ
３６，３６Ｂ  制御部
３８  第１の接続口
４０  第２の接続口
４２  第３の接続口
４４  第４の接続口
４６  供給管
４８  接続チューブ
５０  検出管
５２，５２Ｂ，９０，９０Ａ  ＭＣＵ
５４  ポンプ駆動部
５６，５６Ｂ  開閉弁駆動部
５８  排気弁駆動部
６０，８８  通信部
６２  筐体
６２ａ  操作面
６４  開口部
６６  ダミー空気袋
６７  手指
６８  電源ボタン
７０  アップボタン
７２  ダウンボタン
７４  送信ボタン
７６  表示部
８６，８６Ａ  コントローラ側制御部
９２  駆動部
９４  ポンプ駆動ボタン
９６  排気弁開ボタン
【図１】
2016029960.tif 000003
【図２】
2016029960.tif 000004
【図３】
2016029960.tif 000005
【図４Ａ】
2016029960.tif 000006
【図４Ｂ】
2016029960.tif 000007
【図５】
2016029960.tif 000008
【図６】
2016029960.tif 000009
【図７】
2016029960.tif 000010
【図８】
2016029960.tif 000011
【図９】
2016029960.tif 000012
【図１０】
2016029960.tif 000013
【図１１】
2016029960.tif 000014